(57)【特許請求の範囲】
【請求項１】
本体ケース（１）に設けた冷却室（２）を開閉する扉（３）と、閉じ状態の扉（３）を開放不能にロックするロック装置（４０）と、ロック装置（４０）の切換え異常を報知する報知手段と、報知手段を制御する制御部（１０）を備える冷却装置であって、
ロック装置（４０）は、閉じ状態の扉（３）の開放を阻止するロック姿勢と、扉（３）の開放を許すアンロック姿勢とに切換え可能なロック体（４７）を含み、
本体ケース（１）と扉（３）の間に、扉（３）が閉鎖されたことを検知して制御部（１０）へ閉鎖検知信号を出力するドアセンサー（６０）が設けられており、
本体ケース（１）とロック装置（４０）の間に、ロック体（４７）がロック姿勢に切り換わったことを検知して制御部（１０）へロック検知信号を出力するロックセンサー（７０）が設けられており、
ドアセンサー（６０）の閉鎖検知信号、およびロックセンサー（７０）のロック検知信号が制御部（１０）へ出力されていない扉開放状態において、制御部（１０）が、ドアセンサー（６０）の閉鎖検知信号に先行してロックセンサー（７０）のロック検知信号を受け取った場合に、ロック装置（４０）の切換え異常が生じたと判断して報知手段を作動させるようになっており、
本体ケース（１）の前面に、冷却室（２）を開閉する扉（３）が配置されており、
閉じ状態の扉（３）の上方にカバー枠（３８）が配置されて、本体ケース（１）に固定されており、
ロック装置（４０）とドアセンサー（６０）とロックセンサー（７０）がカバー枠（３８）に組み込まれており、
扉（３）が、断熱作用を発揮する板体からなる扉本体（５）と、扉本体（５）の後面に周回状に設けられるドアパッキン（６）と、扉本体（５）の上部に固定される受具（５４）とを備えており、
受具（５４）の後端部の突出部分（５５）に、ロック装置（４０）のロック体（４７）が係脱するロック溝（５６）が形成されており、
突出部分（５５）が、扉本体（５）の後面よりも後方へ突出して、扉（３）を閉じたときにカバー枠（３８）とドアパッキン（６）の間に形成される上下隙間に位置することを特徴とする冷却装置。
【請求項２】
ロックセンサー（７０）のロック検知信号が制御部（１０）へ出力された時点で、制御部（１０）が報知手段を作動させる請求項１に記載の冷却装置。
【請求項３】
冷却室（２）内に洗浄水を噴射して洗浄する洗浄装置（２０）が設けられており、
制御部（１０）が、ドアセンサー（６０）の閉鎖検知信号とロックセンサー（７０）のロック検知信号を記載順に受け取った場合に、洗浄装置（２０）の駆動を許可する請求項１または２に記載の冷却装置。
【請求項４】
ロック装置（４０）が、カバー枠（３８）の前面に露出するロック軸（４４）と、ロック軸（４４）を回転自在に軸支する軸受筒（４５）と、ロック姿勢とアンロック姿勢の間でロック軸（４４）と一体に部分回動するロック体（４７）とを備えており、
ロック溝（５６）が、前後方向の溝幅が均一な平行溝（５７）と、平行溝（５７）に連続して先拡がり状に溝幅が拡大する導入溝（５８）で左右横長に構成されており、
ロック体（４７）がアンロック姿勢からロック姿勢に切換え操作される過程で、ロック体（４７）の回動先端が導入溝（５８）内に係合侵入して、平行溝（５７）へ向かって移動し、
ロック体（４７）がロック姿勢に切換わった状態において、ロック体（４７）の回動先端が平行溝（５７）に係合して、扉（３）を開放不能に保持している請求項１から３のいずれかひとつに記載の冷却装置。
【請求項５】
カバー枠（３８）の前面に露出するロック軸（４４）の軸端に、ロック軸（４４）を回動操作するための摘み（５０）が起伏自在に設けられている請求項４に記載の冷却装置。  
【発明の詳細な説明】
【技術分野】
【０００１】
本発明は、冷却室の開口を開閉する扉を開放不能にロックするためのロック装置を備える冷却装置に関する。
【背景技術】
【０００２】
この種のロック装置の公知例として、例えば特許文献１に記載の冷蔵庫を挙げることができる。そこでの冷蔵庫は、冷蔵室の前面開口を開閉する上下一対の扉を備えており、各扉に対応してロック装置が設けられてる。各ロック装置は、冷蔵庫本体にリベットとねじで固着されたロック取付板と、ロック取付板に組付けられたロック本体とを備える。ロック本体は、回動可能なアームとキーシリンダを備えており、キーシリンダにキーを差し込んで回動操作することにより、アームが水平になるロック姿勢と、アームが垂直になるアンロック姿勢との間で、ロック本体の姿勢を切り換えることができる。扉を確りと閉じてからロック本体をロック姿勢に切り換えることにより、閉鎖状態の扉の前面にアームを係合させて、扉を開放不能にロックすることができる。
【先行技術文献】
【特許文献】
【０００３】
【特許文献１】特開平１１−３２５７０７号公報（段落番号０００７〜０００９）
【発明の概要】
【発明が解決しようとする課題】
【０００４】
この種のロック装置を備える冷蔵庫においては、扉が開放状態であるにもかかわらず、ユーザによる誤操作やロック装置の故障などを原因として、ロック装置が不用意にロック姿勢に切り換わってしまうことがある。この状態で扉を閉じ操作しても、ロック装置が邪魔になって扉を閉じ位置まで移動させることができず、しかも扉をロックできない（ロック装置が扉に係合しない）。最悪の場合には、ユーザによって閉じ操作された扉がロック装置に衝突し、その衝撃でロック装置が変形、破損してしまう。従って、扉の開放状態においてロック装置がロック姿勢に切り換わった場合は、そのことをユーザへ速やかに知らせることが望ましい。
【０００５】
本発明の目的は、扉が開放状態であるにもかかわらず、ロック装置がロック姿勢に切り換わった場合に、そのことをユーザへ速やかに知らせて、ロック装置をアンロック姿勢に切り換えるなどの対応をユーザに促すことができる冷却装置を提供することにある。
【課題を解決するための手段】
【０００６】
本発明に係る冷却装置は、本体ケース１に設けた冷却室２を開閉する扉３と、閉じ状態の扉３を開放不能にロックするロック装置４０と、ロック装置４０の切換え異常を報知する報知手段と、報知手段を制御する制御部１０を備えている。ロック装置４０は、閉じ状態の扉３の開放を阻止するロック姿勢と、扉３の開放を許すアンロック姿勢とに切換え可能なロック体４７を含む。本体ケース１と扉３の間に、扉３が閉鎖されたことを検知して制御部１０へ閉鎖検知信号を出力するドアセンサー６０を設ける。本体ケース１とロック装置４０の間に、ロック体４７がロック姿勢に切り換わったことを検知して制御部１０へロック検知信号を出力するロックセンサー７０を設ける。ドアセンサー６０の閉鎖検知信号、およびロックセンサー７０のロック検知信号が制御部１０へ出力されていない扉開放状態において、制御部１０が、ドアセンサー６０の閉鎖検知信号に先行してロックセンサー７０のロック検知信号を受け取った場合に、ロック装置４０の切換え異常が生じたと判断して報知手段を作動させる。本体ケース１の前面に、冷却室２を開閉する扉３を配置する。閉じ状態の扉３の上方にカバー枠３８を配置して、本体ケース１に固定する。ロック装置４０とドアセンサー６０とロックセンサー７０をカバー枠３８に組み込む。扉３は、断熱作用を発揮する板体からなる扉本体５と、扉本体５の後面に周回状に設けられるドアパッキン６と、扉本体５の上部に固定される受具５４とを備える。受具５４の後端部の突出部分５５に、ロック装置４０のロック体４７が係脱するロック溝５６を形成する。突出部分５５は、扉本体５の後面よりも後方へ突出して、扉３を閉じたときにカバー枠３８とドアパッキン６の間に形成される上下隙間に位置する。
【０００７】
ロックセンサー７０のロック検知信号が制御部１０へ出力された時点で、制御部１０が報知手段を作動させることが望ましい。
【０００８】
冷却室２内に洗浄水を噴射して洗浄する洗浄装置２０が設けられており、制御部１０が、ドアセンサー６０の閉鎖検知信号とロックセンサー７０のロック検知信号を記載順に受け取った場合に、洗浄装置２０の駆動を許可する形態を採ることができる。
【００１１】
ロック装置４０は、カバー枠３８の前面に露出するロック軸４４と、ロック軸４４を回転自在に軸支する軸受筒４５と、ロック姿勢とアンロック姿勢の間でロック軸４４と一体に部分回動するロック体４７とを備える。図４に示すようにロック溝５６を、前後方向の溝幅が均一な平行溝５７と、平行溝５７に連続して先拡がり状に溝幅が拡大する導入溝５８で左右横長に形成する。ロック体４７がアンロック姿勢からロック姿勢に切換え操作される過程で、ロック体４７の回動先端が導入溝５８内に係合侵入して、平行溝５７へ向かって移動する。ロック体４７がロック姿勢に切換わった状態において、ロック体４７の回動先端が平行溝５７に係合して、扉３を開放不能に保持している。
【００１２】
図５に示すように、カバー枠３８の前面に露出するロック軸４４の前端に、ロック軸４４を回動操作するための摘み５０を起伏自在に設ける。
【発明の効果】
【００１３】
本発明においては、冷却室２を開閉する扉３と、閉じ状態の扉３を開放不能にロックするロック装置４０とを備える冷却装置に対して、扉３が閉鎖されたことを検知するドアセンサー６０と、ロック装置４０のロック体４７がロック姿勢に切り換わったことを検知するロックセンサー７０を設けた。そして制御部１０が、ドアセンサー６０の閉鎖検知信号に先行してロックセンサー７０のロック検知信号を受け取った場合に、ロック装置４０の切換え異常が生じたと判断して報知手段を作動させるようにした。ここでロック装置４０の切換え異常とは、扉３の開放状態においてロック体４７がロック姿勢に切り換わることである。このような切換え異常が生じた場合に報知手段を作動させると、ロック体４７をアンロック姿勢に切り換えるなどの対応をユーザに促して、その後のユーザによる扉３の正常な閉じ操作およびロック操作を促すことができる。
【００１４】
ドアセンサー６０の閉鎖検知信号、およびロックセンサー７０のロック検知信号が制御部１０へ出力されていない扉開放状態において、ロックセンサー７０のロック検知信号が制御部１０へ出力された時点で、制御部１０が報知手段を作動させると、ロック体４７がロック姿勢に切り換わっていることを早期にユーザへ知らせて、ユーザの注意を喚起することができる。従って、ロック体４７がロック姿勢に切り換わっている状態で、ユーザが扉３を閉じ操作してしまい、ロック体４７が扉３に衝突される衝撃で変形、破損するという事態をよく回避することができる。
【００１５】
制御部１０が、ドアセンサー６０の閉鎖検知信号とロックセンサー７０のロック検知信号を記載順に受け取った場合に、洗浄装置２０の駆動を許可する。これによれば、扉３の開放状態やアンロック状態においては洗浄装置２０の駆動を禁止して、洗浄水が扉３の外へ噴き出ることを確実に防止できる。
【００１６】
閉じ状態の扉３の上方にカバー枠３８を配置して本体ケース１に固定し、ロック装置４０とドアセンサー６０とロックセンサー７０をカバー枠３８に組み込むと、これら三者４０・６０・７０を一個所に集約配置して、一つのカバー枠３８で覆うことができる。従って、これら三者を分散配置して個別にカバーなどで覆う場合に比べて、冷却装置を構成する部品点数を減らして、その製造コストを削減することができる。また、ロック装置４０とドアセンサー６０とロックセンサー７０を一つのカバー枠３８で覆うと、冷却装置の外観上の印象をすっきりとしたものにすることができる。
【００１７】
扉本体５の上部に固定した受具５４に、ロック装置４０のロック体４７が係脱するロック溝５６を形成すると、ロック溝５６を形成した受具５４を扉本体５に固定するだけで、扉３にロック溝５６を設けることができる。従って、既存の冷却装置に対して、扉本体５にロック溝５６を直接形成するなどの難しい加工を施さなくても、ロック溝５６を含むロック機構を容易に追加装備できる。また、扉３を閉じたときにカバー枠３８とドアパッキン６の間に形成される上下隙間に、受具５４の後端部の突出部分５５を配置し、この突出部分５５にロック溝５６を設けると、既存の冷却装置におけるデッドスペースを利用しながらロック機構を追加装備できるので、追加装備にあたって新たにスペースを確保する必要が無い。
【００１８】
ロック溝５６を、前後方向の溝幅が均一な平行溝５７と、平行溝５７に連続して先拡がり状に溝幅が拡大する導入溝５８で左右横長に形成し、ロック体４７がアンロック姿勢からロック姿勢に切換え操作される過程で、ロック体４７の回動先端が導入溝５８内に係合侵入して、平行溝５７へ向かって移動するように構成する。これによれば、扉３を閉じたときのドアパッキン６の弾性変形量のばらつきなどにより、扉３が冷却室２の開口面に対して若干前後に傾斜しているような場合でも、ロック体４７の回動先端をロック溝５６に侵入させて、扉３を開放不能にロックすることができる。また、ロック体４７がロック姿勢に切換わった状態においては、ロック体４７の回動先端が、溝幅が均一な平行溝５７に係合するので、扉３を確りとロック保持することができる。
【００１９】
カバー枠３８の前面に露出するロック軸４４の前端に、ロック軸４４を回動操作するための摘み５０を起伏自在に設けると、ユーザが指先などで摘み５０を起立させて摘むことにより、ロック軸４４を容易に回動操作できる。また、ロック軸４４を操作するとき以外には、摘み５０が前方へ突出しないように倒しておくことにより、人体や衣服などが摘み５０に引っ掛かるのを防止することができる。
【図面の簡単な説明】
【００２０】
【図１】本発明の実施例に係る冷却装置の制御手順を示すフローチャートである。
【図２】本発明の実施例に係る冷却装置の扉を開放した状態の正面図である。
【図３】洗浄装置の概略を示す説明図である。
【図４】ロック装置とその周囲の平面図である。
【図５】ロック装置とその周囲の縦断側面図である。
【図６】ロック装置のロック体の（ａ）アンロック姿勢と（ｂ）ロック姿勢を示す縦断正面図である。
【図７】本発明の別実施例に係る冷却装置の制御手順を示すフローチャートである。
【発明を実施するための形態】
【００２１】
（実施例）  図１ないし図６は、本発明に係る冷却装置の実施例を示す。本実施例における前後、左右、上下とは、図２および図４に示す交差矢印と、各矢印の近傍に表記した前後、左右、上下の表示に従うものとする。図２において冷却装置は、断熱箱からなる本体ケース１と、本体ケース１の内部の冷却室２を揺動開閉する扉３と、本体ケース１を支持する基台４などを備えている。扉３は、断熱作用を発揮する板体からなる扉本体５と、扉本体５の後面（内面）に周回状に設けられるドアパッキン６と、後述する受具５４などで構成されて、本体ケース１の前面の左端部に軸支されている。冷却室２の前面開口を扉３で閉じると、ドアパッキン６が本体ケース１の前面に密着する。基台４の内部には、上機械室７Ａと下機械室７Ｂからなる機械室７が形成されており、下機械室７Ｂの内部に圧縮機や凝縮器からなる冷凍ユニット８が収容されている。上機械室７Ａの前面には操作パネル９が配置してあり、同パネル９の後部には、冷却装置を構成する各機器の作動状態を制御する制御部１０が設けてある（図３参照）。
【００２２】
冷却室２の内部には、室内空気を冷却して循環させる冷却ユニット１１と、食材を収容したトレー（ホテルパン）を載置するための載置棚１２とが設けてある。図２および図３において冷却ユニット１１は、冷凍ユニット８から冷媒液の供給を受ける冷却器１４と、上下一対の循環ファン１５と、冷却器１４の除霜用のヒーター１６と、これらを収容するユニットケース１７などで構成される。操作パネル９を操作して冷却モードを開始すると、制御部１０は冷凍ユニット８を作動させて冷却器１４へ冷媒液を供給し、また循環ファン１５を作動させる。これにより、冷却室２内の空気がユニットケース１７内へ取り込まれて、冷却器１４を通過する間に冷却される。冷却器１４で冷却された冷気は、ユニットケース１７の外へ吹き出されて冷却室２内を循環し、載置棚１２に載置された各トレーを冷却する。
【００２３】
上記の冷却モードを実行すると、トレー上の食材の断片などが冷気で吹き飛ばされて、冷却室２の壁面や冷却ユニット１１の内外面などに付着することがある。そのため冷却装置には、食材の断片などを水洗い除去するための洗浄装置２０が設けてある。図３において洗浄装置２０は、冷却室２の上面中央に配置される第１洗浄体２１と、ユニットケース１７の内部に配置される第２洗浄体２２と、上機械室７Ａに収容されて洗浄水を貯留する貯水タンク２３などで構成される。貯水タンク２３と各洗浄体２１・２２は、中途部に送給ポンプ２４が設けられた送給管２５で接続してある。第１洗浄体２１から噴射される洗浄水は、主に冷却室２の壁面と冷却ユニット１１の外面を洗浄し、第２洗浄体２２から噴射される洗浄水は、主に冷却ユニット１１の内面を洗浄する。
【００２４】
冷却室２の上面隅部には洗浄水の給水口２７が配置されており、この給水口２７は、給水弁２８で開閉される給水管２９を介して水道管に接続されている。給水口２７から供給される洗浄水（水道水）と、各洗浄体２１・２２から噴射される洗浄水は、冷却室２の底面中央に設けられた集水口３０から貯水タンク２３へ流下する。貯水タンク２３の底部からは、排水弁３１で開閉される排水管３２が導出されている。
【００２５】
以上の洗浄装置２０による洗浄モードは、先の冷却モードと同様に、操作パネル９の操作により開始することができる。洗浄モードは洗浄過程とすすぎ過程からなり、先に行われる洗浄過程においては、まず制御部１０が給水弁２８を開いて、給水口２７から集水口３０を介して貯水タンク２３へ洗浄水（水道水）を供給する。貯水タンク２３に設けられた水位センサー３４が満水を検知すると、制御部１０は給水弁２８を閉じて、循環ファン１５、ヒーター１６および送給ポンプ２４を作動させ、貯水タンク２３の洗浄水を、送給管２５を介して各洗浄体２１・２２へ供給する。各洗浄体２１・２２から噴射された洗浄水は、冷却室２の壁面や冷却ユニット１１を洗浄した後、集水口３０から貯水タンク２３へ流下し、送給管２５を介して再び各洗浄体２１・２２へ供給される。このように本実施例では、洗浄水を洗浄体２１・２２と貯水タンク２３の間で繰返し循環させることにより洗浄水を節約している。
【００２６】
洗浄過程の開始から所定時間が経過すると、制御部１０は循環ファン１５、ヒーター１６および送給ポンプ２４を停止させて排水弁３１を開き、貯水タンク２３内の汚れた洗浄水を排水管３２へ排水する。排水が完了すると、制御部１０は排水弁３１を閉じて、次のすすぎ過程へ移行する。すすぎ過程は、ヒーター１６を作動させない点を除いて洗浄過程とほぼ同様であるため、その説明を省略する。すすぎ過程は複数回繰り返して行うことができる。すすぎ過程が完了すると洗浄モードは終了となる。洗浄モードの終了後は、循環ファン１５とヒーター１６を作動させ、また、本体ケース１の上面に設置された換気装置３５を作動させて、冷却室２を乾燥させることができる。
【００２７】
図４および図５において本体ケース１の前面上部には、左右横長のカバー枠３８が設けられている。カバー枠３８は、上壁と前壁と下壁を備える断面コ字状に形成されており、扉３を閉じたときにカバー枠３８の下壁と扉本体５の上端面とが上下に正対する。このカバー枠３８の右端部に、扉３を開放不能にロックするためのロック装置４０と、ロック装置４０を支持する支持枠４１とが収容してある。上記の冷却モードと洗浄モードは、扉３が不用意に開放しないようロック装置４０で開放不能にロックした状態で行われる。
【００２８】
ロック装置４０は、回動中心軸が前後方向に伸びるロック軸４４と、ロック軸４４を回動可能に支持する円筒状の軸受筒４５と、ロック軸４４の後面にボルト４６で締結固定されるロック体４７などで構成される。支持枠４１は四角形の底壁と、底壁の辺部から上向きに伸びる前後壁および左壁とを備えており、支持枠４１の前壁に軸受筒４５が、同筒４５のねじ軸にねじ込んだナット４９で締結固定してある。なお支持枠４１は、本体ケース１とカバー枠３８の一方または双方に固定することができる。軸受筒４５の前端部はカバー枠３８の前面に露出しており、軸受筒４５の前面中央からロック軸４４の前端部が前方へ突出している。ロック軸４４の前端部には、ロック軸４４を回動操作するための摘み５０が起伏揺動自在に設けられている。ロック体４７の後端にはロック片５１が折曲げ形成されており、支持枠４１の底壁およびカバー枠３８の下壁の後端部には、ロック片５１の部分回動を許すスリット５２・５３がそれぞれ形成されている。
【００２９】
上記のロック装置４０に対応して、扉３の右上隅部には受具５４が設けてある。受具５４は、扉本体５の上面後部に固定された金具で構成される。受具５４の後端部は、扉本体５の後面（内面）よりも後方へ突出して、ドアパッキン６の上面に臨んでおり、この突出部分５５の上壁に、ロック体４７のロック片５１が係脱するロック溝５６が形成されている。ロック溝５６は、全体として左右横長に形成されており、前後方向の溝幅が均一な左側の平行溝５７と、平行溝５７に連続して溝幅が先拡がり状に拡大する右側の導入溝５８とで構成されている。扉３を確りと閉じてドアパッキン６が本体ケース１の前面に密着した状態では、突出部分５５がカバー枠３８とドアパッキン６の間の隙間に位置して、突出部分５５の後面が本体ケース１の前面に当接もしくは僅かな隙間を介して正対する。またこのときロック溝５６が、支持枠４１とカバー枠３８に形成したスリット５２・５３の真下に位置する。
【００３０】
図６（ａ）は、ロック装置４０のロック体４７がアンロック姿勢になっている状態を示しており、そこではロック片５１がカバー枠３８の内側に収容されている。ロック体４７がアンロック姿勢になっているときは、扉３を自由に揺動開閉できる。この状態からロック軸４４を時計回りに９０度回動させると、ロック体４７がロック軸４４と一体に回動して、図５および図６（ｂ）に示すロック姿勢に切り換わり、ロック片５１が支持枠４１とカバー枠３８に設けたスリット５２・５３を介して下方へ突出する。このとき、ロック体４７のロック姿勢への切り換えを、扉３を確りと閉じてから行うことにより、ロック片５１が受具５４のロック溝５６に的確に係合する。詳しくは、ロック体４７がアンロック姿勢からロック姿勢に切換え操作される過程で、ロック片５１の回動先端がロック溝５６の右側の部分すなわち導入溝５８内に係合侵入して、平行溝５７へ向かって左方へ移動する。そして、ロック体４７がロック姿勢に切換わった状態において、ロック片５１の回動先端が左側の平行溝５７に係合する。このように、ロック片５１をロック溝５６に係合させて、受具５４をロック片５１で受け止めることにより、扉３を開放不能にロックすることができる。この施錠状態からロック軸４４を反時計回りに９０度回動させると、ロック体４７を再びアンロック姿勢に切り換えて、ロック片５１とロック溝５６の係合を解除して、扉３を開くことができる。図４ないし図６において符号５９は、ロック姿勢およびアンロック姿勢のロック体４７を弾性的に支持する板ばね製の節度ばねである。
【００３１】
カバー枠３８には、扉３が閉鎖されたことを検知するドアセンサー６０と、ロック装置４０のロック体４７がロック姿勢に切り換わったことを検知するロックセンサー７０とが収容されている。図３および図４においてドアセンサー６０は、カバー枠３８の下壁に固定された磁気形近接スイッチからなり、これと対になる磁石６２が扉本体５の上端面に設けられている。図３に示すように扉３を閉じると、磁石６２がドアセンサー６０の下面に近接し、磁石６２のまわりの磁界を検知したドアセンサー６０が制御部１０へＯＮ信号（扉３の閉鎖検知信号）を出力する。図４に示すように扉３を開くと、磁石６２がドアセンサー６０から離れて、ドアセンサー６０はＯＦＦ状態に戻る。
【００３２】
図４および図５においてロックセンサー７０は、支持枠４１の左壁に設けられた磁気形近接スイッチからなり、これと対になる磁石７２がロック体４７の前後中途部に設けられている。図６（ｂ）に示すようにロック体４７をロック姿勢に切り換えると、磁石７２がロックセンサー７０の下面に近接し、磁石７２のまわりの磁界を検知したロックセンサー７０が制御部１０へＯＮ信号（ロック体４７のロック検知信号）を出力する。図６（ａ）に示すようにロック体４７をアンロック姿勢に切り換えると、磁石７２がロックセンサー７０から離れて、ロックセンサー７０はＯＦＦ状態に戻る。
【００３３】
これらセンサー６０・７０を利用した制御部１０による冷却装置の制御形態を、図１のフローチャートに示す。ドアセンサー６０からＯＮ信号が出力され（ステップＳ１でＹＥＳ）、次いでロックセンサー７０からＯＮ信号が出力された場合（ステップＳ２でＹＥＳ）は、開放状態の扉３が閉じ位置まで移動操作された後で、ロック体４７がアンロック姿勢からロック姿勢に切り換えられた、つまり、扉３が閉じ位置で正常にロックされたと判断して、冷却モードや洗浄モードの実行を許可する（ステップＳ３）。ドアセンサー６０とロックセンサー７０が記載順にＯＮ信号を出力するまで、つまり扉３が閉じ位置で正常にロックされるまで、冷却モードや洗浄モードの実行を禁止することにより、扉３が開放状態やアンロック状態のままこれらの運転モードが開始されること、および、これらの運転モードの実行中に扉３が不用意に開放されることを確実に防止できる。なお、ドアセンサー６０がＯＮ信号を出力した（ステップＳ１でＹＥＳ）後に、ロックセンサー７０がＯＮ信号を出力しない場合（ステップＳ２でＮＯ）に、ステップＳ１まで戻るのは、一度扉３が閉鎖されてから再び扉３が開放され、その後でロック体４７がロック姿勢に切り換えられた場合に、モード実行を許可するステップＳ３へ進まないようにするためである。
【００３４】
一方、ドアセンサー６０からＯＮ信号が出力される前（ステップＳ１でＮＯ）に、ロックセンサー７０からＯＮ信号が出力された場合（ステップＳ４でＹＥＳ）は、ロック装置４０の切換え異常が生じている、つまり、扉３の開放状態においてロック体４７がロック姿勢に切り換わっていると判断して、その旨をユーザに知らせる報知手段を駆動させて（ステップＳ６）、ユーザの注意を喚起する。これにより、ユーザが扉３を閉じ操作してしまい、ロック片５１が扉３の衝突による衝撃を受けて変形、破損するなどの事態をよく回避することができる。さらに、ロック体４７をアンロック姿勢に切り換えるなどの対応をユーザに促して、その後のユーザによる扉３の正常な閉じ操作およびロック操作を促すことができる。ロックセンサー７０からのＯＮ信号の出力が停止してＯＦＦ状態に切り換わると（ステップＳ７でＹＥＳ）、ロック体４７がユーザによりアンロック姿勢に切り換えられたと判断して報知手段を停止させ（ステップＳ８）、ステップＳ１へ戻る。なお報知手段としては、ランプ、ブザー、振動器など従来公知のものを任意に適用できる。
【００３５】
本発明の別実施例に係る冷却装置の制御形態を、図７のフローチャートに示す。そこでは、ドアセンサー６０からＯＮ信号が出力される前（ステップＳ１でＮＯ）に、ロックセンサー７０からＯＮ信号が出力され（ステップＳ４でＹＥＳ）、次いで、ドアセンサー６０からＯＮ信号が出力された場合（ステップＳ５でＹＥＳ）に、報知手段を駆動させる（ステップＳ６）。つまり、扉３の開放状態においてロック体４７がロック姿勢に切り換わった時点で報知手段を駆動させるのではなく、その後、扉３が閉じ操作されて閉じ位置の近傍に達した時点（近接スイッチからなるドアセンサー６０が磁石６２のまわりの磁界を検知した時点）で初めて報知手段を駆動させる。この方法によれば、扉３の開放状態でロック体４７がロック姿勢に切り換わっていることにユーザが気付いており、報知手段を駆動させることが必要でない場合に、報知手段を駆動させてユーザに不快感を与えることを防止できる。
【００３６】
ただし、上記の別実施例では、ロック体４７がロック姿勢に切り換わっていることに気付いていないユーザが扉３を閉じ操作して、扉３がロック片５１に勢いよく衝突し、その衝撃でロック片５１が変形、破損するという懸念がある。この懸念を解消するため、上記のステップＳ５を、扉３の揺動変位を監視する態様に変更し、扉３が閉じ位置に向かって揺動を開始したことを検知した時点でステップＳ６へ移行し、報知手段を駆動させてもよい。扉３の揺動変位を監視するセンサーとしては、例えばロータリーエンコーダを挙げることができる。また、さらに別の変更例として、ステップＳ４においてＹＥＳ（ロックセンサー７０がＯＮ）になってから一定時間が経過しても、ロックセンサー７０がＯＦＦにならない場合に、ステップＳ６へ移行して報知手段を駆動させてもよい。
【００３７】
その他、ドアセンサー６０と磁石６２の配置は、上記の実施例と逆であってもよい。ロックセンサー７０と磁石７２についても同様である。またロックセンサー７０は、ロック体４７がアンロック姿勢になったときに磁石７２に近接し、ロック体４７がロック姿勢になったときに磁石７２から離れるものであってもよい。ドアセンサー６０とロックセンサー７０は、磁気形以外の例えば静電容量形や光電形の近接スイッチであってもよく、検知対象に直接接触する機械式のスイッチなどであってもよい。
【００３８】
扉３が閉鎖されてドアセンサー６０からＯＮ信号が出力された場合、および、ロック体４７がロック姿勢に切り換えられてロックセンサー７０からＯＮ信号が出力された場合に、そのことを操作パネル９に表示し、あるいは、別に設けたランプを点灯させるなどの方法でユーザに知らせることができる。これによれば、扉３が確りと閉じられて開放不能にロックされていることを、扉３とロック装置４０を視認することと、扉３の開放を実際に試みることに加えて、ドアセンサー６０とロックセンサー７０が出力する検知信号によっても確認することができる。つまり、扉３が開放不能にロックされていることをユーザがより正確に確認できるので、ユーザが扉３の開放状態やアンロック状態を見落とすことをより確実に防止できる。
【００３９】
本発明は、洗浄装置２０を備えていない冷却装置にも適用することができる。また本発明は、冷却室２の上面開口を扉３で開閉する冷却装置や、扉３が引き出し式やスライド式である冷却装置などにも適用が可能である。
【符号の説明】
【００４０】
２  冷却室
３  扉
５  扉本体
６  ドアパッキン
１０  制御部
２０  洗浄装置
４０  ロック装置
４４  ロック軸
４５  軸受筒
４７  ロック体
５１  ロック片
５４  受具
５６  ロック溝
６０  ドアセンサー
６２  磁石
７０  ロックセンサー
７２  磁石
【図１】
0006722472.tif 000002
【図２】
0006722472.tif 000003
【図３】
0006722472.tif 000004
【図４】
0006722472.tif 000005
【図５】
0006722472.tif 000006
【図６】
0006722472.tif 000007
【図７】
0006722472.tif 000008